(57)【要約】【課題】動画像の顔部分と操作ボタンとが重なって表示されないようにすることにより、シャッターチャンスを逃してしまうことを防ぐこと。【解決手段】カメラ１０１は、動画像を撮影可能である。表示部１０３は、動画像に操作ボタンを重ねて表示可能である。撮像装置１００は、表示部１０３において、操作ボタンは、動画像中の顔部分と重ならないように移動するか、または表示部１０３において操作ボタンと、動画像中の顔部分と重なる領域がある場合、少なくとも前記領域は、顔部分を表示する。【選択図】図１
2013258599.tif 000002
【特許請求の範囲】
【請求項１】
動画像を撮影可能な撮像手段と、
前記動画像に操作ボタンを重ねて表示可能な表示手段と、を具備し、
前記表示手段において、前記操作ボタンは、前記動画像中の顔部分と重ならないように移動する、
撮像装置。
【請求項２】
動画像を撮影可能な撮像手段と、
前記動画像に操作ボタンを重ねて表示可能な表示手段と、を具備し、
前記表示手段において前記操作ボタンと、前記動画像中の顔部分と重なる領域がある場合、少なくとも前記領域は、前記顔部分を表示する、
撮像装置。
【請求項３】
請求項１又は請求項２に記載の撮像装置であって、
前記表示手段に重ねて配置されたタッチパネルを備え、
前記操作ボタンは、前記タッチパネル用である、
撮像装置。
【請求項４】
請求項１から請求項３のいずれか１項に記載の撮像装置であって、
前記動画像は、静止画撮影前のプレビュー画像である、
撮像装置。
【請求項５】
請求項１から請求項４のいずれか１項に記載の撮像装置であって、
前記動画像から人物の顔部分を画像処理により検出する顔部分検出手段を、具備する、
撮像装置。
【請求項６】
動画像を撮影可能な撮像手段と、前記動画像に操作ボタンを重ねて表示可能な表示手段と、を具備する撮影装置で利用可能な撮影方法であって、
前記表示手段において、前記操作ボタンは、前記動画像中の顔部分と重ならないように移動する、
撮影方法。
【請求項７】
動画像を撮影可能な撮像手段と、前記動画像に操作ボタンを重ねて表示可能な表示手段と、を具備する撮影装置で利用可能な撮影方法であって、
前記表示手段において前記操作ボタンと、前記動画像中の顔部分と重なる領域がある場合、少なくとも前記領域は、前記顔部分を表示する、
撮影方法。
【発明の詳細な説明】
【技術分野】
【０００１】
本発明は、例えばタッチパネルに操作ボタンを表示可能な撮像装置及び撮影方法に関する。
【背景技術】
【０００２】
従来、タッチパネルを有する撮像装置において、撮像手段により撮像した画像及び操作ボタンをタッチパネルに表示するものが知られている（例えば、特許文献１）。特許文献１における撮像装置では、タッチパネルの予め決められた位置に操作ボタンを表示している。
【０００３】
特許文献１によれば、ユーザはタッチパネルに表示された画像を見ながら、タッチパネル上で操作ボタンを操作できるので、ユーザにおける使い勝手を向上させることができる。
【先行技術文献】
【特許文献】
【０００４】
【特許文献１】特開２０１０−１２４１２０号公報
【発明の概要】
【発明が解決しようとする課題】
【０００５】
しかしながら、従来の装置においては、タッチパネルにおいて動画像の顔部分と操作ボタンとが重なって表示された場合には被写体の顔の表情が分からず、シャッターチャンスを逃してしまうという問題がある。
【０００６】
本発明の目的は、動画像の顔部分と操作ボタンとが重なって表示されないようにすることにより、シャッターチャンスを逃してしまうことを防ぐことができる撮像装置及び撮影方法を提供することである。
【課題を解決するための手段】
【０００７】
本発明の撮像装置は、動画像を撮影可能な撮像手段と、前記動画像に操作ボタンを重ねて表示可能な表示手段と、を具備し、前記表示手段において、前記操作ボタンは、前記動画像中の顔部分と重ならないように移動する。
【０００８】
また、本発明の撮像装置は、動画像を撮影可能な撮像手段と、前記動画像に操作ボタンを重ねて表示可能な表示手段と、を具備し、前記表示手段において前記操作ボタンと、前記動画像中の顔部分と重なる領域がある場合、少なくとも前記領域は、前記顔部分を表示する。
【０００９】
本発明の撮影方法は、動画像を撮影可能な撮像手段と、前記動画像に操作ボタンを重ねて表示可能な表示手段と、を具備する撮影装置で利用可能な撮影方法であって、前記表示手段において、前記操作ボタンは、前記動画像中の顔部分と重ならないように移動する。
【００１０】
また、本発明の撮影方法は、動画像を撮影可能な撮像手段と、前記動画像に操作ボタンを重ねて表示可能な表示手段と、を具備する撮影装置で利用可能な撮影方法であって、前記表示手段において前記操作ボタンと、前記動画像中の顔部分と重なる領域がある場合、少なくとも前記領域は、前記顔部分を表示する。
【発明の効果】
【００１１】
本発明によれば、動画像の顔部分と操作ボタンとが重なって表示されないようにすることにより、シャッターチャンスを逃してしまうことを防ぐことができる。
【図面の簡単な説明】
【００１２】
【図１】本発明の実施の形態１に係る撮像装置の構成を示すブロック図
【図２】本発明の実施の形態１に係る撮影方法を示すフロー図
【図３】本発明の実施の形態１におけるタッチパネルに表示された画像を示す図
【図４】本発明の実施の形態２に係る撮影方法を示すフロー図
【図５】本発明の実施の形態２におけるタッチパネルに表示された画像を示す図
【発明を実施するための形態】
【００１３】
以下、本発明の実施の形態について、図面を参照して詳細に説明する。
【００１４】
（実施の形態１）
＜撮像装置の構成＞
本発明の実施の形態１に係る撮像装置１００の構成について、図１を用いて説明する。
【００１５】
撮像装置１００は、カメラ１０１と、制御部１０２と、表示部１０３とから主に構成されている。
【００１６】
カメラ１０１は、動画像を撮影可能であり、撮影した動画像の動画像データを制御部１０２に出力する。
【００１７】
制御部１０２は、カメラ１０１から入力された動画像データの動画像をディスプレイに表示させる制御を行う。この際、制御部１０２は、カメラ１０１から入力された動画像データに含まれる人物の顔部分を検出するとともに、検出した顔部分のディスプレイにおける表示位置を決定する。制御部１０２は、決定した顔部分の表示位置に基づいて、操作ボタンをディスプレイに表示する際の制御を行う。
【００１８】
表示部１０３は、制御部１０２により制御される回路部分に重ねて配置されたタッチパネル等のディスプレイを有している。表示部１０３は、制御部１０２の制御に従って、ディスプレイに動画像を表示するとともに、ディスプレイに操作ボタンを動画像に重ねて表示可能にする。この際、表示部１０３は、制御部１０２の制御に従って、動画像の顔部分と操作ボタンとが重なって表示されないようにする。
【００１９】
表示部１０３には、シャッターボタンを押す前のプレビュー画像、及びシャッターボタンを押した後の撮影画像が表示される。ここで、プレビュー画像とは、シャッターボタンを押して撮影する前に、撮影画像を確認するために提供される、静止画撮影前の画像である。
【００２０】
＜撮影方法＞
本発明の実施の形態１に係る撮像方法について、図２を用いて説明する。
【００２１】
まず、撮像装置１００において、カメラ１０１が起動される（ステップＳＴ２０１）。
【００２２】
次に、表示部１０３は、制御部１０２の制御に従って、カメラ１０１で撮影した動画像のプレビュー画像を表示する（ステップＳＴ２０２）。
【００２３】
次に、制御部１０２は、カメラ１０１で撮影した動画像における顔部分を検出する（ステップＳＴ２０３）。
【００２４】
次に、制御部１０２は、検出した顔部分と表示しようとする操作ボタンとがディスプレイ上で重なって表示されるか否かを判定する（ステップＳＴ２０４）。
【００２５】
制御部１０２は、検出した顔部分と表示しようとする操作ボタンとがディスプレイ上で重なって表示されると判定した場合（ステップＳＴ２０４：ＹＥＳ）には、顔部分と重なる操作ボタンのディスプレイ上の表示位置を移動して、操作ボタンが顔部分と重ならないように制御する（ステップＳＴ２０５）。
【００２６】
一方、制御部１０２は、検出した顔部分と表示しようとする操作ボタンとがディスプレイ上で重なって表示されないと判定した場合（ステップＳＴ２０４：ＮＯ）には、操作ボタンのディスプレイ上の表示位置を移動せずに、そのまま操作ボタンを表示させる。
【００２７】
次に、撮影装置１００は、シャッターボタンが押されることにより撮影する（ステップＳＴ２０６）。
【００２８】
＜画像の表示方法＞
本発明の実施の形態１における画像の表示方法について、図３を用いて説明する。
【００２９】
表示部１０３が有するディスプレイ３０１には、プレビュー画像が表示される。このプレビュー画像には、複数の顔部分＃３１１、＃３１２、＃３１３が含まれている。
【００３０】
ディスプレイ３０１には、顔部分＃３１１、＃３１２、＃３１３と操作ボタン＃３２１とが重ならずに表示されることとなる。従って、制御部１０２は、操作ボタン＃３２１の表示位置を移動することなく、そのまま操作ボタン＃３２１をディスプレイ３０１に表示させる。
【００３１】
一方、ディスプレイ３０１には、図３において破線で示すように、顔部分＃３１３と操作ボタン＃３２１とが重なって表示されることとなる。従って、制御部１０２は、操作ボタン＃３２２の表示位置を移動させて、図３において実線で示すように、顔部分＃３１１、＃３１２、＃３１３と重ならない表示位置に操作ボタン＃３２２を移動させて表示させる制御を行う。
【００３２】
＜実施の形態１の効果＞
本実施の形態によれば、動画像の顔部分と重なって表示される操作ボタンの表示位置を、顔部分と重ならない表示位置に移動することにより、動画像における顔の表情が分かるのでシャッターチャンスを逃してしまうことを防ぐことができる。
【００３３】
（実施の形態２）
本実施の形態において、撮像装置の構成は図１と同一構成であるので、その説明を省略する。
【００３４】
＜撮影方法＞
本発明の実施の形態２に係る撮像方法について、図４を用いて説明する。
【００３５】
まず、撮像装置１００において、カメラ１０１が起動される（ステップＳＴ４０１）。
【００３６】
次に、表示部１０３は、制御部１０２の制御に従って、カメラ１０１で撮影した動画像のプレビュー画像を表示する（ステップＳＴ４０２）。
【００３７】
次に、制御部１０２は、カメラ１０１で撮影した動画像における顔部分を検出する（ステップＳＴ４０３）。
【００３８】
次に、制御部１０２は、検出した顔部分と表示しようとする操作ボタンとがディスプレイ上で重なって表示されるか否かを判定する（ステップＳＴ４０４）。
【００３９】
制御部１０２は、検出した顔部分と表示しようとする操作ボタンとが重なって表示されると判定した場合（ステップＳＴ４０４：ＹＥＳ）には、顔部分と操作ボタンとが重なるディスプレイ上の領域には顔部分のみを表示するように制御する。即ち、制御部１０２は、顔部分と操作ボタンとが重なるディスプレイ上の領域には、操作ボタンを表示しないように制御する（ステップＳＴ４０５）。
【００４０】
一方、制御部１０２は、検出した顔部分と表示しようとする操作ボタンとが重なって表示されないと判定した場合（ステップＳＴ４０４：ＮＯ）には、操作ボタンをそのままディスプレイに表示する。
【００４１】
次に、撮影装置１００は、シャッターボタンが押されることにより撮影する（ステップＳＴ４０６）。
【００４２】
＜画像の表示方法＞
本発明の実施の形態２における画像の表示方法について、図５を用いて説明する。
【００４３】
表示部１０３が有するディスプレイ５０１には、プレビュー画像が表示される。このプレビュー画像には、複数の顔部分＃５１１、＃５１２、＃５１３が含まれている。
【００４４】
ディスプレイ５０１には、顔部分＃５１１、＃５１２、＃５１３と操作ボタン＃５２１とが重ならずに表示されることとなる。従って、制御部１０２は、操作ボタン＃５２１をそのままディスプレイ５０１に表示させる。
【００４５】
一方、ディスプレイ５０１には、図５において破線で示すように、顔部分＃５１３と操作ボタン＃５２２とが重なって表示されることとなる。従って、制御部１０２は、顔部分＃５１３と操作ボタン＃５２２とが重なる領域には、操作ボタン＃５２２を表示しないように制御する。
【００４６】
＜実施の形態２の効果＞
本実施の形態によれば、動画像の顔部分と重なる操作ボタンを表示しないことにより、動画像における顔の表情が分かるのでシャッターチャンスを逃してしまうことを防ぐことができる。
【００４７】
＜全ての実施の形態に共通の変形例＞
上記実施の形態１及び実施の形態２において、人物の顔部分と操作ボタンとが重ならないようにしたが、人物以外の動物等の顔部分と操作ボタンとが重ならないようにすることができる。
【産業上の利用可能性】
【００４８】
本発明にかかる撮像装置及び撮影方法は、例えばタッチパネルに操作ボタンを表示可能にするのに好適である。
【符号の説明】
【００４９】
１００  撮像装置
１０１  カメラ
１０２  制御部
１０３  表示部
【図１】
2013258599.tif 000003
【図２】
2013258599.tif 000004
【図３】
2013258599.tif 000005
【図４】
2013258599.tif 000006
【図５】
2013258599.tif 000007